(57)【要約】【課題】従来、ディスプレイに表示された画像の色度調整を行う場合、専用の測色装置が必要であったり、あるいは測定する者が専門知識を有する者に限られ、面倒な操作が必要となり一般ユーザが容易に行うことができなかった。【解決手段】筐体２とディスプレイ３Ａと鏡６と筐体２の一部に取付けられたカメラ５と表示制御手段１１Ａを備え表示制御手段１１Ａは鏡６の写った筐体２の鏡像をカメラ５で撮影し、その像を第１鏡像とし第１鏡像をディスプレイ３Ａ上の像を鏡６に写したものを更にカメラ５で撮影した像を第２鏡像とし鏡６の角度調節により第２鏡像をディスプレイ３Ａ上に表示し第１、第２鏡像を同一画面に表示した状態で第１、第２鏡像内の対応する２ヶ所の位置が外部から指定され検出された際、指定された２ヶ所の色度差が無くなるようにディスプレイ３Ａの色度を制御する色度制御手段１０Ａを備えた。【選択図】図１
2009157289.tif 000002
【特許請求の範囲】
【請求項１】
情報処理装置を構成する部品を収納した筐体と、
前記筐体の一部に取付けられたディスプレイと、
前記ディスプレイとその周辺の筐体部分を含む範囲を写すことが可能な鏡と、
前記筐体の一部に取付けられ、前記鏡に写った鏡像を含む範囲を撮影するカメラと、
前記筐体内に設けられ、前記カメラの出力画像を含む各種データを前記ディスプレイの画面に表示させる際の表示制御を行う表示制御手段を備え、
前記表示制御手段は、
鏡に写った前記筐体の鏡像を前記カメラで撮影し、その像を第１鏡像とし、前記第１鏡像をディスプレイ上に表示し、そのディスプレイ上の像を前記鏡に写したものを、更に前記カメラで撮影した像を第２鏡像とし、前記鏡の角度調節により、前記第２鏡像をディスプレイ上に表示し、前記第１、第２鏡像を同一表示画面内に表示した状態で、前記第１、第２鏡像内の対応する２ヶ所の位置が外部から指定され、該指定が検出された際、前記指定された２ヶ所の色度差が無くなるように、前記ディスプレイの色度を制御する色度制御手段を備えている
色度調整機能を備えた情報処理装置。
【請求項２】
前記色度制御手段は、
前記２ヶ所の位置指定が検出された際、前記第１、第２領域の指定位置を中心として、予め定めた範囲の領域を対象とし、前記各領域の平均色度を求め、前記求めた２ヶ所の平均色度の色度差が無くなるように、前記表示制御手段内で色度制御を行うための色度制御プログラムを備えている
前記請求項１記載の色度調整機能を備えた情報処理装置。
【請求項３】
情報処理装置を構成する部品を収納した筐体と、
前記筐体の一部に取付けられたディスプレイと、
前記ディスプレイとその周辺の筐体部分を含む範囲を写すことが可能な鏡と、
前記筐体の一部に取付けられ、前記鏡に写った鏡像を含む範囲を撮影するカメラと、
前記筐体内に設けられ、前記カメラの出力画像を含む各種データを前記ディスプレイの画面に表示させる際の表示制御を行う表示制御手段を備え、
前記表示制御手段により、
鏡に写った前記筐体の鏡像を前記カメラで撮影し、その像を第１鏡像とし、前記第１鏡像をディスプレイ上に表示する手順と、
そのディスプレイ上の像を前記鏡に写したものを、更に前記カメラで撮影した像を第２鏡像とし、前記鏡の角度調節により、前記第２鏡像をディスプレイ上に表示する手順と、  前記第１、第２鏡像を同一表示画面内に表示した状態で、前記第１、第２鏡像内の対応する２ヶ所の位置が外部から指定され、該指定が検出された際、前記指定された２ヶ所の色度差が無くなるように、前記ディスプレイの色度を制御する手順とを行う
色度調整機能を備えた情報処理装置の表示制御方法。
【請求項４】
前記２ヶ所の位置指定が検出された際、前記第１、第２領域の指定位置を中心として、予め定めた範囲の領域を対象とし、前記各領域の平均色度を求める手順と、
前記求めた２ヶ所の平均色度の色度差が無くなるように制御する手順とを行う
請求項３記載の色度調整機能を備えた情報処理装置の表示制御方法。
【発明の詳細な説明】
【技術分野】
【０００１】
本発明は、ノートパソコンやデスクトップ型パソコン等のパーソナルコンピュータ、ＰＤＡ（Personal  Digital  Assistance）、携帯電話等の情報処理装置に利用可能な色度調整機能を備えた情報処理装置及び該情報処理装置の表示制御方法に関し、特に、カメラと鏡と色度制御プログラムを用い、ディスプレイ上に表示した画像を基に、色度制御プログラムにより、２点間の色度差が無くなるように表示制御を行うことで、表示画像の色彩の色度調整ができるようにした色度調整機能を備えた情報処理装置及び該情報処理装置の表示制御方法に関する。
【背景技術】
【０００２】
（１）：従来例１
以下、従来例１を説明する。
【０００３】
パソコンや携帯電話機などのディスプレイ表示画面で、デジタルカメラで撮影した画像やインターネット通販等で商品等の画像を見る際などに、撮影した画像や画面に表示される商品の色が実際の色とかけ離れているような場合がある。
【０００４】
これは、ディスプレイの色彩は、ディスプレイの３原色であるＲ（赤）、Ｇ（緑）、Ｂ（青）の各々の発光体の輝度、または、表示面の反射率や透過率を変えることで制御しているが、ディスプレイの色彩が、ディスプレイの特性やディスプレイの設置された環境の外光や照明の影響により、正確な色表現できないことによる。
【０００５】
これを解消するためには、従来、色彩を忠実に再現するために用いられる色彩調整方法として、例えば、ディスプレイに表示された画像の色彩について、ディスプレイの表示面をカラーセンサー等の専用の測色器で測色し、キャリブレーションする方法がある。
【０００６】
（２）：従来例２
以下、従来例２を説明する。
【０００７】
従来、ディスプレイに表示された画像の色彩について、専用の測色器を用いずに、色彩を調整する方法としては、人手により、色彩調整の基準となる対象物と比較して、手動調整する方法がある。
【０００８】
（３）：従来例３
以下は、特許文献１を従来例３として説明する。従来例３には次のような内容が記載されている。
【０００９】
（ａ）：「原稿と、この原稿を読み取って電気的に変換した画像とを対比観察して、画像の色調整装置を提供すること。」・・・要約の欄を参照。
【００１０】
（ｂ）：「本発明は、ネガ、ポジフィルムなどの平面的な原稿、あるいは立体的な物体の外観を読み取った電気的な画像信号の色調を調整する色調調整装置に関する。」・・・段落番号［０００１］参照
（ｃ）：「操作者は、このようにしてスクリーン上に重ね合わされた直接像と反転像の合成像を見ながら、色調整ボリウムを回転操作してスクリーン上の画像が均一の灰色面になるように色調整を行う。この色調整により均一な灰色像になると、直接像と反転像とはほぼ完全な補色関係になり、原稿に忠実な画像信号が得られたことになる。」・・・段落番号［００１５］参照
【特許文献１】特開平６−３５０８３９号公報
【発明の開示】
【発明が解決しようとする課題】
【００１１】
（１）：従来、ディスプレイに表示された画像の色彩の色度調整を行う例では、測色する場合、専用の測色装置が必要となり、また、特定の専門分野のユーザが使用するものなので、専門の知識を有する者が使用する場合には有効であるが、一般ユーザの利用には必ずしも適していなかった。
【００１２】
（２）：従来、人手により正確な色彩の色度調整を行う例では、作業の習熟が必要であり、作業に習熟した者以外は容易に行うことができなかった。特に、色覚障害者にとって、目視に依存する色度調整は、きわめて困難であった。
【００１３】
（３）：従来例３は、ネガ、ポジフィルムなどの平面的な原稿、あるいは立体的な物体の外観を読み取った電気的な画像信号の色調を調整する色調調整装置に関するものであり、本発明のディスプレイ色度調整機能を備えた情報処理装置の必須構成要件を備えておらず、本発明の参考程度の内容である。
【００１４】
本発明は従来の課題を解決するためになされたものであり、ディスプレイと、カメラと、鏡と色度制御プログラムを組合せるという簡単な構成で、ディスプレイの色彩の色度調整を人手による面倒な操作を不要として自動的に行えるようにすることを目的とする。
【課題を解決するための手段】
【００１５】
本発明は前記の目的を達成するため、色度調整機能を備えた情報処理装置において、情報処理装置を構成する部品を収納した筐体と、前記筐体の一部に取付けられたディスプレイと、前記ディスプレイとその周辺の筐体部分を含む範囲を写すことが可能な鏡と、前記筐体の一部に取付けられ、前記鏡に写った鏡像を含む範囲を撮影するカメラと、前記筐体内に設けられ、前記カメラの出力画像を含む各種データを前記ディスプレイの画面に表示させる際の表示制御を行う表示制御手段を備え、前記表示制御手段は、鏡に写った前記筐体の鏡像を前記カメラで撮影し、その像を第１鏡像とし、前記第１鏡像をディスプレイ上に表示し、そのディスプレイ上の像を前記鏡に写したものを、更に前記カメラで撮影した像を第２鏡像とし、前記鏡の角度調節により、前記第２鏡像をディスプレイ上に表示し、前記第１、第２鏡像を同一表示画面内に表示した状態で、前記第１、第２鏡像内の対応する２ヶ所の位置が外部から指定され、該指定が検出された際、前記指定された２ヶ所の色度差が無くなるように、前記ディスプレイの色度を制御する色度制御手段を備え、表示画像の色彩の色度調整を行うように構成した。
【００１６】
（作用）
以下、前記構成に基づく本発明の作用を説明する。
【００１７】
表示制御手段の制御により、カメラの出力画像をディスプレイの画面に表示させた状態で、鏡の角度調節を行い、第１、第２鏡像を同一表示画面内に表示する。この状態で、第１、第２鏡像内の対応する２ヶ所の位置が外部から指定（例えばマウスによるクリックの指定）され、該指定が検出された際、色度制御手段により、指定された２ヶ所の色度差が無くなるようにディスプレイの色度を制御する。
【００１８】
このようにすれば、ディスプレイと、カメラと、鏡と色度制御プログラムを組合せるという簡単な構成で、ディスプレイの色彩の色度調整を人手による面倒な操作を不要として自動的に行うことができる。
【発明の効果】
【００１９】
本発明は請求項１乃至４では、次のような効果がある。
【００２０】
（ａ）：従来、ディスプレイに表示された画像の色度調整を行う場合、専用の測色装置が必要であったり、あるいは、測定する者が専門の技術分野の知識を有する者に限られていた。しかし、本発明では、ディスプレイと、カメラと、鏡と色度制御プログラムを組合わせるという簡単な構成で、しかも、専門知識を有しない一般のユーザでも簡単に色度調整ができる。
【００２１】
（ｂ）：画面の色度調整を行う場合、鏡の調節と画面上の位置指定操作のみの簡単な操作で、色度調整を行うことができる。特に、色覚障害者にとって、色度調整をきわめて容易に行うことができる。
【発明を実施するための最良の形態】
【００２２】
§１：情報処理装置の概要の説明
以下、図１に基づいて、色度調整機能を備える情報処理装置の概要を説明する。
【００２３】
（１）：この情報処理装置では、情報処理装置を構成する部品を収納した筐体２と、筐体２の一部に取付けられたディスプレイ３Ａと、ディスプレイ３Ａとその周辺の筐体２部分を含む範囲を写すことが可能な鏡６と、筐体２の一部に取付けられ、鏡６に写った鏡像を含む範囲を撮影するカメラ５と、筐体２内に設けられ、カメラ５の出力画像を含む各種データをディスプレイ３Ａの画面に表示させる際の表示制御を行う表示制御手段１１Ａを備え、表示制御手段１１Ａは、鏡６に写った筐体２の鏡像をカメラ５で撮影し、その像を第１鏡像とし、第１鏡像をディスプレイ３Ａ上に表示し、そのディスプレイ３Ａ上の像を鏡６に写したものを、更にカメラ５で撮影した像を第２鏡像とし、鏡６の角度調節により、第２鏡像をディスプレイ３Ａ上に表示し、第１、第２鏡像を同一表示画面内に表示した状態で、第１、第２鏡像内の対応する２ヶ所の位置が外部から指定され、該指定が検出された際、指定された２ヶ所の色度差が無くなるように、ディスプレイ３Ａの色度を制御する色度制御手段１０Ａ（色度制御プログラムも含む）を備え、表示色度調整を行う。
【００２４】
（２）：前記（１）において、色度制御手段１０Ａは、２ヶ所の位置指定が検出された際、その各々の位置を中心として、予め定めた範囲（例えば、ｍ、ｎを任意の整数とした場合、ｍ×ｎ画素の範囲）の領域を対象とし、各領域の平均色度を求め、求めた２ヶ所の平均色度の色度差が無くなるように（色度差が最小となるように）、表示制御手段１１Ａ内で色度制御を行うための色度制御プログラムを備えている。
【００２５】
（３）：この情報処理装置の表示制御方法では、情報処理装置を構成する部品を収納した筐体２と、筐体２の一部に取付けられたディスプレイ３Ａと、ディスプレイ３Ａとその周辺の筐体２部分を含む範囲を写すことが可能な鏡６と、筐体２の一部に取付けられ、鏡６に写った鏡像を含む範囲を撮影するカメラ５と、筐体２内に設けられ、カメラ５の出力画像を含む各種データをディスプレイ３Ａの画面に表示させる際の表示制御を行う表示制御手段１１Ａを備え、表示制御手段１１Ａにより、鏡６に写った筐体２の鏡像をカメラ５で撮影し、その像を第１鏡像とし、第１鏡像をディスプレイ３Ａ上に表示する手順と、そのディスプレイ３Ａ上の像を鏡６に写したものを、更にカメラ５で撮影した像を第２鏡像とし、鏡６の角度調節により、第２鏡像をディスプレイ３Ａ上に表示する手順と、第１、第２鏡像を同一表示画面内に表示した状態で、第１、第２鏡像内の対応する２ヶ所の位置が外部から指定され、該指定が検出された際、指定された２ヶ所の色度差が無くなるように、ディスプレイ３Ａの色度を制御する手順とを行う。
【００２６】
（４）：前記（３）において、２ヶ所の位置指定が検出された際、その各々の位置を中心として、予め定めた範囲（例えば、ｍ、ｎを任意の整数とした場合、ｍ×ｎ画素の範囲）の領域を対象とし、各領域の平均色度を求める手順と、求めた２ヶ所の平均色度の色度差が無くなるように（色度差が最小となるように）制御する手順とを行う。
【００２７】
§２：具体的装置例の説明
以下、図２を参照しながら、前記情報処理装置をノートパソコンとした例について説明する。
【００２８】
ノートパソコン１には、ノートパソコン１を構成する部品を収納した筐体２と、筐体２の一部に取付けられたディスプレイ（液晶パネル）３が設けてある。また、その筐体２内に色度制御プログラム（以下、単に「ＡＰＬ」とも記す）９、色度制御回路１０を含む表示制御部１１等が設けてある。
【００２９】
そして、ディスプレイ３とその周辺の筐体２部分を含む範囲を写すことが可能であって、任意の角度に調節し、その位置で同定することが可能な鏡６と、鏡６に写った鏡像を含む範囲を撮影するカメラ（ビデオカメラ）５が筐体の一部にカメラ取付具１４により着脱自在に取付けてある。また、鏡６の角度を調節するための調節具７と、鏡６を筐体２の一部に取付けるための取付具８（図１の取付具８と同じなので図示省略した）が着脱自在に取付けてある。なお、ＡＰＬ９、表示制御部１１等は、後述するので詳細は省略する。
【００３０】
§３：制御系ブロック図の説明
以下、図２、図３を参照しながら、ノートパソコン１における制御系ブロック図について説明する。
【００３１】
ノートパソコン１の筐体２内には、色度制御を行うためのＡＰＬ９と、ディスプレイの表示制御を行うための表示制御部１１と、表示するデータを格納するための画像メモリ１２と、ワーク用として使用するメモリ２２等が設けてある。また、表示制御部１１には、色度制御行うために、電圧や電流を制御可能な色度制御回路１０と、ディスプレイに表示する画像データ等を制御するための表示データ制御部２０と、ディスプレイを駆動するためのドライブ回路２１等が設けてある。
【００３２】
カメラ５の出力信号は、表示される直前に、画像メモリ１２に取込まれ、その後、この画像は表示制御部１１へ送られ、表示制御部１１内の表示データ制御部２０により表示データがディスプレイ３へ送られる。この時、色度制御回路１０の制御により、表示画面の色彩の色度制御が行われるように構成されている。
【００３３】
一方、ＡＰＬ９では、表示画面上で外部から指示があった場合は、画像メモリ１２内の表示画面データ２５内の画像から切り出す画像領域を演算して求め、該当する画像を取出し切り出して、メモリ２２内の２つの領域Ａ、Ｂに格納して色度制御を行う。なお、表示領域２８、２９と、第１及び第２領域の指定位置周辺３０、３１についての説明は後述する。
【００３４】
§４：色度調整の概念の説明
図４は色度調整の概念の説明図である。以下に、像の定義及び色度の座標について説明する。なお、図４に示したＡ乃至Ｇは、次のように定義するものとする。
【００３５】
（１）：Ａ乃至Ｇの像の定義
Ａ：外部から観察される筐体２（実物）
Ｂ：鏡６に写ったＡの鏡像
Ｃ：カメラ５で撮影したＢの像（第１鏡像という）
Ｄ：ディスプレイ３に表示したＣの像
Ｅ：鏡６に写ったＤの鏡像
Ｆ：カメラ５で撮影したＥの像（第２鏡像という）
Ｇ：ディスプレイ３に表示したＦの像
ここで、第１鏡像、第２鏡像は、カメラに撮影された画像（カメラの撮影素子等により電気信号に変換されたデータとして存在し、外部から直接観測することは不可能）であり、ディスプレイに表示された像、色彩ではない。
【００３６】
なお、以下に説明する「色度」という用語は、カラー画像における３原色であるＲ（赤）、Ｇ（緑）、Ｂ（青）の数値のセットのことを言う。すなわち、Ｒ、Ｇ、Ｂの数値をセットにしたものを色彩の色度と呼ぶ。
【００３７】
（２）：色度のＸＹ座標の説明
図４に基づいて、色度を位置として示されるＸＹ平面について説明する。ここで、ＸＹ平面を色度の位置として仮定し、横軸をＸ軸、縦軸をＹ軸とし、Ａの色度の座標をＸＹ平面の原点Ｐ１（０、０）に置くものとする。
【００３８】
そして、鏡６に写った像がカメラ５で撮影され、また、ディスプレイ３に表示されることによって変化する状況を、ＸＹ平面での移動としてとらえる。ここで、カメラ５の撮影特性によっての色度変化はＸ軸にプラス１、ディスプレイ３の表示特性の色度変化はＹ軸にプラス１としてプロットする。以下に、Ａ乃至Ｇの像の色度のＸＹ座標を示す。
【００３９】
（ａ）：外部から観察される筐体２を含む像の色度座標
この場合、Ａの色度座標であり、Ａの色度の座標をＸＹ平面の原点Ｐ１（０、０）に置くものとする。
【００４０】
（ｂ）：Ａの鏡６に写った鏡像の色度座標
この場合、Ｂの色度座標であり、Ｂの像は、Ａの鏡に写った像であるため、像の画像劣化はなく、Ｂの色度の座標はＡの色度の座標と同じ原点Ｐ１（０、０）にある。
【００４１】
（ｃ）：カメラ５で撮影したＢの像（第１鏡像）の色度座標
この場合、Ｃの色度座標であり、Ｃの像は、Ｂの像がカメラ５で１回撮影されている像であり、Ｃの色度の座標はＰ２（１、０）に移動する。
【００４２】
（ｄ）：ディスプレイ３に表示したＣの像の色度座標
この場合、Ｄの色度座標であり、Ｄの像は、Ｃの像の画像データをディスプレイに表示させているため、Ｄの色度の座標はＰ３（１、１）に移動する。
【００４３】
（ｅ）：鏡６に写ったＤの鏡像の色度座標
この場合、Ｅの色度座標であり、Ｅの像は、Ｄの像が鏡６に写った像であるため、像の画像劣化はなく、Ｄの色度と同じ座標となり、Ｅの色度の座標はＰ３（１、１）となる。
【００４４】
（ｆ）：カメラで撮影したＥ（第２鏡像）の色度座標
この場合、Ｆの色度座標であり、Ｆの像は、Ｅの像をカメラで撮影した像であるため、Ｆの色度の座標はＰ４（２、１）へ移動する。
【００４５】
（ｇ）：ディスプレイ３に表示したＦの像の色度座標
この場合、Ｇの色度座標であり、Ｇの像は、Ｆの像の画像データをディスプレイ３で表示しているため、Ｇの色度の座標はＰ５（２、２）へ移動する。
【００４６】
そして、「色度調整の方向その１」Ｐ６は、Ｆの色度の座標Ｐ４（２、１）を、Ｃの色度の座標Ｐ２（１、０）に近づけること、すなわち、第２鏡像の色度を第一鏡像の色度に近づけることを示している。また、「色度調整の方向その２」Ｐ７は、Ｄの色度の座標Ｐ３（１、１）をＡの色度の座標Ｐ１（０、０）に近づけることを示している。これにより、ディスプレイ３の表示特性を補正し、画面表示されているＤの色度を、原点Ｐ１（０、０）に近づけることになる。
【００４７】
（３）：色度調整の説明
図４に示したＸＹ平面の色度座標において、ＸＹ平面を色度の位置として仮定し、横軸をＸ軸、縦軸をＹ軸とし、Ａの色度の座標をＸＹ平面の原点Ｐ１（０、０）に置くと、第１鏡像の色度は、Ｃの色度の座標Ｐ２（１、０）となり、第２鏡像の色度は、Ｆの色度の座標Ｐ４（２、１）となる。
【００４８】
これは、第１鏡像の色度は、外部から観察される筐体２を含む部分が鏡６に写った像の色にカメラの撮像特性が加わった色度である。一方、第２鏡像の色度は、第１鏡像の色度に、さらにディスプレイの表示特性が加わったものであることを示す。
【００４９】
したがって、第２鏡像の色度を第１鏡像の色度に近づけるには、カラー画像のＲＧＢ表示色を調整すること、すなわち、ディスプレイ信号（電圧または電流）等で調整できるＲ、Ｇ、Ｂの値である色度について、第２鏡像の色度を第１鏡像の色度に近づければ良い。
【００５０】
ＡＰＬ９が第１鏡像と第２鏡像のそれぞれの色度を求め、その差分（色度差）が最小となるように色度制御回路１０の電圧又は電流を最適な状態に制御して色度の制御をすることにより、ディスプレイの表示画像の色度を調整する。
【００５１】
§５：色度調整時の概要の説明
以下、図２乃至図４を参照しながら図５に基づいて、色度調整時の概要を説明図する。なお、図５において、Ｓ１〜Ｓ９は、各操作又は処理ステップ等を示す。
【００５２】
まず、人手により、鏡６の角度を調節する（Ｓ１）。この場合、鏡６の角度の調節において、ディスプレイ３の表示画面とその周辺部の筐体の一部分を含む範囲の像（Ａ）が鏡６に写るように、人手により、鏡６の角度を調節具７で適切な角度に調節し、その角度で固定する。なお、この状態のときに、オペレータはノートパソコン１が取込んだ画像データをディスプレイ３の表示画面上で観察し、画面内に表示画面とその周辺部の筐体の一部分を含む範囲の像（Ａ）が収まるように鏡６の角度を調節する。
【００５３】
このようにすれば、筐体２を含む像（Ａ）が鏡６に写るから（Ｓ２）、この像（Ｂ）をカメラ５で撮影しながら、そのデータをノートパソコン１が装置内部に取込む（Ｓ３）。この時のカメラ５の映像出力を画像データ（Ｃ）として、画像メモリ１２に格納し、表示画面データ２５となる。
【００５４】
この画像データ（Ｃ）を含む表示画面データ２５が、表示制御部１１に送られ、ディスプレイ３に表示（Ｄ）される（Ｓ４）。この時、このディスプレイ３に表示された第１鏡像を含む像（Ｄ）が鏡６に写っており、この像を（Ｅ）と呼ぶ（Ｓ５）。
【００５５】
前記像（Ｅ）をカメラ５で撮影しており、そのカメラ５の出力データを画像データ（Ｆ）として、画像メモリ１２の表示画面データ２５として格納される（Ｓ６）。この時、この取込んだ画像データ（Ｆ）の像には、第１鏡像及び第２鏡像が含まれている。
【００５６】
そして、画像メモリ１２の表示画面データ２５が表示制御部１１に送られ、画面に表示（Ｇ）される（Ｓ７）。この場合、ディスプレイ３に取込んだデータ（Ｆ）の像に含まれる第１鏡像が表示領域２８に表示され、取込んだデータ（Ｆ）の像に含まれる第２鏡像が表示領域２９に表示されている。この時、第１鏡像の色度は、外部から観察される筐体２を含む部分が鏡６に写った像の色にカメラの撮像特性が加わった色度であり、第２鏡像の色度は、第１鏡像の色度に、さらにディスプレイの表示特性が加わったものであるから、第１、第２鏡像間には色度差が生じている。
【００５７】
次に、画面上で、色度差制御の比較対象となる前記第１、第２鏡像内の位置を確認したら、その位置を（例えば、マウスのクリックにより）人手により指定する（Ｓ８）。その後装置内で前記位置指定を検出したら、前記２つの領域の色度差が無くなるようにＡＰＬにより色度制御を行い（Ｓ９）、前期色度差が無くなったら、この処理を終了する。なお、ＡＰＬ処理の詳細な説明は後述する。
【００５８】
§６：色度制御の処理の説明
図６はＡＰＬの処理フローチャートである。以下、図２乃至図５を参照しながら、図６に基づき、ＡＰＬ（色度制御プログラム）の処理を説明する。なお、図６のＳ１１〜Ｓ１６は、各処理ステップを示す。また、以下の処理は図５のＳ８、Ｓ９の処理に対応する。
【００５９】
第１、第２鏡像を含む像をディスプレイに表示し、ＡＰＬ９を起動すると、ＡＰＬ９の処理が開始され、まず、外部（例えば、マウスによるクリック）からの画面上の位置指定が有るか判定する（Ｓ１１）。ここで、第１、第２鏡像を同一表示画面内に表示した状態で、第１、第２鏡像内の対応する２ヶ所の位置（例えば、筐体２の対応する２ヶ所の位置）を、以下、単に「第１領域の指定位置」、「第２領域の指定位置」と呼ぶ。
【００６０】
そして、外部からの位置指定がなされ、その位置指定が検出されるのを待ち、位置指定が検出されたら、ＡＰＬ９は、第１領域及び第２領域の各指定位置周辺（図３に示す３０及び３１）領域の表示画面データをメモリ２２の領域Ａ及びＢにそれぞれ格納する（Ｓ１２）。前記処理では、ＡＰＬ９は、指定位置の検出後、指定位置の中心座標と、その座標を中心とした予め定められた範囲（例えば、ｍ、ｎを整数とした場合、ｍ×ｎ画素の範囲）を演算して求め、求めた範囲のデータを、画像メモリ１２の表示画面データ２５から切り出し、メモリ２２の領域Ａと領域Ｂにそれぞれ格納する。
【００６１】
次に、ＡＰＬ９は、領域Ａ、Ｂのデータから、それぞれ平均色度を演算して求める（Ｓ１３）。
【００６２】
この処理では、第１領域の指定位置周辺３０の平均色度を（Ｒ１、Ｇ１、Ｂ１）とし、第２領域の指定位置周辺３１の平均色度（Ｒ２、Ｇ２、Ｂ２）と、前記２つの領域Ａ、Ｂの画像データの色度差ΔＲＧＢ＝（Ｒ２、Ｇ２、Ｂ２）―（Ｒ１、Ｇ１、Ｂ１）を演算する（Ｓ１４）。
【００６３】
次に、Ｓ１５の処理において、ＡＰＬ９は色度差ΔＲＧＢの値が０であるかどうかの判定を行い（Ｓ１５）、色度差ΔＲＧＢが０でない場合（Ｎｏ）には、ＡＰＬ９は色度制御により再度表示データを表示し（Ｓ１６）、Ｓ１２の処理へ移行する。そして、Ｓ１５で色度差ΔＲＧＢ＝０となった場合、ＡＰＬ９のこの処理は終了する。
【００６４】
また、ディスプレイ上で指定された位置に対応する第１鏡像（Ｃ）及び第２鏡像（Ｆ）の座標を（Ｘ１、Ｙ１）、（Ｘ２、Ｙ２）とした場合、ディスプレイに表示された画素の位置は、カメラの撮影素子上の座標と対応しているため、同定することができる。
【００６５】
（Ｘ１、Ｙ１）の平均色度（Ｒ１、Ｇ１、Ｂ１）及び、（Ｘ２、Ｙ２）の平均色度（Ｒ２、Ｇ２、Ｂ２）を求める際に、このとき指定された位置（Ｘ１、Ｙ１）の単一画素ではなく、（Ｘ１、Ｙ１）を中心とし、一定の半径（例えば、１０画素）内にある全ての画素のＲＧＢ値を平均化する。これにより、１つの画素の色度ではなく、均一表面の画像から安定したＲＧＢ値を取得することもできる。
【００６６】
更に、平均色度（Ｒ１、Ｇ１、Ｂ１）と（Ｒ２、Ｇ２、Ｂ２）の差ΔＲＧＢが０になるように、ディスプレイ信号（電圧又は電流）を調整する場合において、ディスプレイには、ブラウン管、液晶、プラズマ等、多くの方式があるが、その多くの方式では、Ｒ（赤）、Ｇ（緑）、Ｂ（青）の３つの発光体の輝度を変化させることにより、様々な色彩表現を行っている。それらの発光体の輝度は、ディスプレイ信号の電圧又は電流を変化させ、制御するのが一般的である。そこで、（Ｒ２、Ｇ２、Ｂ２）と（Ｒ１、Ｇ１、Ｂ１）を比較し、Ｒ２＞Ｒ１の場合、ディスプレイのＲのディスプレイ信号の電圧又は電流を、Ｒ２＝Ｒ１となるまで下げる。Ｒ２＜Ｒ１の場合、表示装置のＲ信号の電圧又は電流を、Ｒ２＝Ｒ１となるまで上げる。ディスプレイのＧ信号、Ｂ信号についても同様である。
【００６７】
§７：その他の説明
（１）：本発明は、前記の例で説明したノートパソコンに限らず、その他、デスクトップ型パソコン、ＰＤＡ、携帯電話等にも同様に適用可能である。
【００６８】
（２）：前記鏡は、取付具、調節具を用いないものだけでなく、ディスプレイとその周辺の筐体部分を含む範囲を写すことが可能なものなら、任意のもの（例えば、手鏡等）が適用可能である。
【図面の簡単な説明】
【００６９】
【図１】本発明に係る情報処理装置の概要説明図であり、Ａ図は情報処理装置の構成図、Ｂ図は制御系ブロック図である。
【図２】本発明の実施の形態における情報処理装置の説明図である。
【図３】実施の形態における制御系ブロック図である。
【図４】実施の形態における色度調整概念の説明図である。
【図５】実施の形態における色度調整時の概要説明図である。
【図６】実施の形態におけるＡＰＬの処理フローチャートである。
【符号の説明】
【００７０】
１      ノートパソコン
２      筐体
３      液晶パネル
３Ａ    ディスプレイ
５      カメラ
６      鏡
７      調節具
８      取付具
９      色度制御プログラム（ＡＰＬ）
１０    色度制御回路
１０Ａ  色度制御手段
１１    表示制御部
１１Ａ  表示制御手段
１２    画像メモリ
１４    カメラ取付具
２０    表示データ制御部
２１    ドライブ回路
２２    メモリ
２５    表示画面データ
２８    表示領域
２９    表示領域
３０    第１領域の指定位置周辺
３１    第２領域の指定位置周辺
【図１】
2009157289.tif 000003
【図２】
2009157289.tif 000004
【図３】
2009157289.tif 000005
【図４】
2009157289.tif 000006
【図５】
2009157289.tif 000007
【図６】
2009157289.tif 000008